(57)【要約】【課題】  広告情報を折込み広告その他の紙媒体のそれに代えて適時かつ迅速に配信可能で、資源の無駄、環境破壊、人件費その他の経費削減を可能とする。【解決手段】  個々の利用者のもとに設置され、受配信用通信手段１２、通信回線及び通信手段２ｂを介して配信される広告情報を、広告の実体内容表示を行う広告情報表示欄３ａ及び利用者が多数の広告情報から所望のそれを検索するための検索欄３ｂに分けて表示するようにした電子広告表示手段２、２…と、複数の広告主体から依頼のあった複数の広告情報から各広告情報毎に広告の実体内容情報を作成し、かつ検索指標を抽出して、それぞれを各電子広告表示手段２、２…に伝送する電子広告配信管理センター１とからなる。【選択図】  図１
2006011676.tif 000002
【特許請求の範囲】
【請求項１】
個々の利用者のもとに設置され、有線又は無線の伝送手段を介して配信される広告情報を電子的に表示する電子広告表示手段と、広告主体から依頼のあった広告情報を該電子広告表示手段に伝送して表示させる電子広告配信管理センターとからなる電子広告配信システムであって、
前記電子広告配信管理センターを、複数の広告主体から依頼を受けた複数の広告情報から各広告情報毎に電子広告表示手段の広告情報表示欄に表示すべき広告の実体内容情報を作成し、かつ検索欄に表示すべき検索指標を抽出して、それぞれを前記各電子広告表示手段に伝送すべく構成し、
前記電子広告表示手段を、その広告表示部に、少なくとも、広告の実体内容表示を行う広告情報表示欄と利用者が多数の広告情報から所望のそれを検索するための検索欄とを表示し得るように構成した電子広告配信システム。
【請求項２】
前記伝送手段として、有線電話回線、又はPHS及びAir Hを含む無線電話回線を採用した請求項１の電子広告配信システム。
【請求項３】
前記検索指標として、広告主体の名称の頭文字又はコード番号、業種、商品又はサービスの種別、スーパーストア又はコンビニエンスストアを含む営業形態、若しくは特別割引売り出し、タイムサービス又は期間限定の催し物を含む特殊営業形態の全部又は一部を採用した請求項１又は２の電子広告配信システム。
【請求項４】
前記検索指標として、大概念から小概念までの複数の階層構造を持った指標を採用した請求項１又は２の電子広告配信システム。
【請求項５】
前記電子広告表示手段の検索欄に於ける検索結果及び広告情報表示欄に於ける表示結果の一方又は双方を該電子広告表示手段から前記電子広告配信管理センターに送り返すように構成した請求項１、２、３又は４の電子広告配信システム。
【請求項６】
前記電子広告配信センターを、受け取った検索欄に於ける検索結果及び広告情報表示欄に於ける表示結果の一方又は双方を利用してデータ処理を行い、顧客ニーズ及び利用者毎の利用率の一方又は双方を調査し得るように構成した請求項５の電子広告配信システム。
【請求項７】
前記電子広告配信センターを、受け取った検索欄に於ける検索結果及び広告情報表示欄に於ける表示結果の一方又は双方を利用してデータ処理を行い、利用者毎の利用率を算出し、かつ得られた該利用者毎の利用率に基づいて、該各利用者毎に、紙媒体広告に代えて本電子広告配信システムを採用したことによる広告費用の差額を原資として利益を還元するための利益還元係数を計算し得るように構成した請求項５の電子広告配信システム。
【発明の詳細な説明】
【技術分野】
【０００１】
本発明は、利用者の手元に配布された電子広告表示手段に電子広告配信管理センターから広告情報を有線又は無線の伝送手段を通じて電子的に配信する電子広告配信システムに関する。
【背景技術】
【０００２】
大企業による全国的若しくは都道府県単位のような大規模広告は、日刊紙、テレビ、ラジオによって伝えられることが多い。しかし近隣の商店、販売店又はデパート等による広告は新聞販売網を利用する折込み広告、個別に郵便受けに投入されるチラシ類又は郵便によるダイレクトメール等、紙媒体による広告が広く利用されている。
【０００３】
このような折込み広告や個別に郵便受けに投入されるチラシ類等の紙媒体広告は、原稿に所要のデザインを施して予め印刷をしておき、これを配達前に新聞に折り込んで配達し、若しくは折り込まずに個別に配達するもので、用紙代、印刷代、折り込み代及び配達に要する人件費等が大きく嵩み、更に受け取った利用者からみれば有用なものはごく一部であり廃棄処理が容易ではない。環境汚染を防ぐために、都会では殆どの地域で各家庭に於ける個別の焼却は禁止されているため、自治体によるゴミ処理に委ねられることになり、その労力及び経費も嵩むこととなっている。
【０００４】
本願の発明者は、車両のボディ、船舶、航空機等の移動できる広告表示装置に広告情報を電子的に発信して、所望の場所で所望の時間だけ放映する広告表示装置を開示している（特許文献１）。
【０００５】
その主たる構成は、「広告掲載の依頼者は、予め用意された様式に沿って掲載したい広告内容を作成し、携帯電話やコンピュータ等からインターネット等を利用してこれを一のコンピュータに送信する。第一のコンピュータは、広告依頼者の掲載希望の内容と諸条件を自動的に判断し、課金管理システム等を始動した後、第二のコンピュータが内蔵された移動できる広告表示装置に依頼者からの広告情報がデータとして配信され放映場所の指定や掲載時間を指定するなどの規定条件のなかで広告が繰り返し放映される」というものである。
【０００６】
これは、広告内容と広告を表示すべき地域との関連性に着目し、より広告効果の高い地域でのみ広告表示を行うことができるようにしたものであり、その意味で極めて優れた広告システムを提案したものであるということができる。しかし、上記のように、この広告システムは、車両のように移動できる広告表示装置を利用したシステムであり、近隣の家庭を顧客として営業活動を行う、限定された特定の地域の商店、販売店又は各種サービスを提供する営業所等による広告活動には必ずしも適しない。
【０００７】
【特許文献１】特開平２００２−６３３３１号公報
【発明の開示】
【発明が解決しようとする課題】
【０００８】
本発明は、折込み広告その他の紙媒体による広告に代えて適時かつ迅速に配信可能で、資源の無駄や環境破壊を回避し、人件費その他の経費削減が可能となる電子広告配信システムを提供することを課題とする。
【課題を解決するための手段】
【０００９】
本発明の１は、個々の利用者のもとに設置され、有線又は無線の伝送手段を介して配信される広告情報を電子的に表示する電子広告表示手段と、広告主体から依頼のあった広告情報を該電子広告表示手段に伝送して表示させる電子広告配信管理センターとからなる電子広告配信システムであって、
前記電子広告配信管理センターを、複数の広告主体から依頼を受けた複数の広告情報から各広告情報毎に電子広告表示手段の広告情報表示欄に表示すべき広告の実体内容情報を作成し、かつ検索欄に表示すべき検索指標を抽出して、それぞれを前記各電子広告表示手段に伝送すべく構成し、
前記電子広告表示手段を、その広告表示部に、少なくとも、広告の実体内容表示を行う広告情報表示欄と利用者が多数の広告情報から所望のそれを検索するための検索欄とを表示し得るように構成した電子広告配信システムである。
【００１０】
本発明の２は、本発明の１の電子広告配信システムに於いて、前記伝送手段として、有線電話回線、又はPHS若しくはAir Hを含む無線電話回線を採用したものである。
【００１１】
本発明の３は、本発明の１又は２の電子広告配信システムに於いて、前記検索指標として、広告主体の名称の頭文字又はコード番号、業種、商品又はサービスの種別、スーパーストア又はコンビニエンスストアを含む営業形態、若しくは特別割引売り出し、タイムサービス又は期間限定の催し物を含む特殊営業形態の全部又は一部を採用したものである。
【００１２】
本発明の４は、本発明の１又は２の電子広告配信システムに於いて、前記検索指標として、大概念から小概念までの複数の階層構造を持った指標を採用したものである。
【００１３】
本発明の５は、本発明の１、２、３又は４の電子広告配信システムに於いて、前記電子広告表示手段の検索欄に於ける検索結果及び広告情報表示欄に於ける表示結果の一方又は双方を該電子広告表示手段から前記電子広告配信管理センターに送り返すように構成したものである。
【００１４】
本発明の６は、本発明の５の電子広告配信システムに於いて、前記電子広告配信センターを、受け取った検索欄に於ける検索結果及び広告情報表示欄に於ける表示結果の一方又は双方を利用してデータ処理を行い、顧客ニーズ及び利用者毎の利用率の一方又は双方を調査し得るように構成したものである。
【００１５】
本発明の７は、本発明の５の電子広告配信システムに於いて、前記電子広告配信センターを、受け取った検索欄に於ける検索結果及び広告情報表示欄に於ける表示結果の一方又は双方を利用してデータ処理を行い、利用者毎の利用率を算出し、かつ得られた該利用者毎の利用率に基づいて、該各利用者毎に、紙媒体広告に代えて本電子広告配信システムを採用したことによる広告費用の差額を原資として利益を還元するための利益還元係数を計算し得るように構成したものである。
【発明の効果】
【００１６】
本発明の１の電子広告配信システムによれば、紙媒体の印刷広告に比して、絶えず最新の広告を配信することが可能となるばかりでなく、豊富かつ有用な広告情報を配信することができる。当然、印刷広告のような用紙、インク等の資材が不要となり資源の無駄が排除され、印刷・配布に要する経費も不要である。これは利用者の側からみれば、不要な紙媒体広告の廃棄に要する手数が不要となって好都合であり、更には環境への負荷を低減することができる利点もある。
【００１７】
広告配信は即時に行われ、提供者側のタイムサービス等の取り扱いがきめ細かに為し得ることになる。優勝謝恩セール、祭事その他行事の時間帯、地域毎の事情に合わせたサービスの提供や、当日の気象条件その他の可変条件を加味したきめ細やかなサービスを有利に実施することができる。
【００１８】
本発明の２の電子広告配信システムによれば、前記伝送手段として、有線又は無線の自由な回線を採用することが可能であり、比較的安価なそれを有用に使用することが可能である。
【００１９】
本発明の３の電子広告配信システムによれば、利用者は、検索操作により、目的とする商品やサービスを提供する提供者を容易に見出すことができる。
【００２０】
本発明の４電子広告配信システムによれば、利用者は能率的に目的とする商品やサービスの提供者を容易に知りうることとなる。
【００２１】
本発明の５の電子広告配信システムによれば、消費者側の傾向を知るためのデータを得ることができる。
【００２２】
本発明の６の電子広告配信システムによれば、消費者側の動向を知ることができる。
【００２３】
本発明の７の電子広告配信システムによれば、利用者に対して、このシステムの利用率に応じて算出される利益還元係数に基づいてキャッシュバックその他の種々の形態で利益を還元することができるので、利用者に対する利用の促進のインセンティブを高めることができ、これによってこのシステムによる広告効果を一層高めることが可能になる。
【発明を実施するための最良の形態】
【００２４】
本発明は、基本的に、個々の利用者のもとに設置され、広告情報を電子的に表示する電子広告表示手段と、広告主体から依頼のあった広告情報を該電子広告表示手段に伝送して表示させる電子広告配信管理センターとからなる電子広告配信システムである。
【００２５】
前記電子広告表示手段は、Ａ４程度以上の広告表示部を備え、かつ表示する電子広告情報をやりとりするための通信手段、受け取った電子広告情報を保持する記憶手段、該電子広告情報を表示するための広告表示部及び該広告表示部に表示する広告情報を検索又は選択操作するためのキーボード、タッチパネル、マウス又はペン入力等の操作手段を備えたものであり、このような能力を持ったノートパソコン、その他の小型端末を採用することができる。また該電子広告表示手段は、広告表示部を他の部位と分離させ、後述するタクシーやバス等の車両でこれを利用する場合は、該広告表示部をリアウインドウ等に設置して外部に向かって広告表示を行うことを可能とするような利用の仕方にも対応できるようにする。もちろん、タクシー等の車両でも、内部の顧客用の広告表示部のみを有するものとし、或いは両方を有するように構成しても良い。要するに広告表示部は、他の部位と必ずしも一体である必要はなく、かつ複数存在しても良い。いずれにしても外部に向けて広告表示部を構成する場合は、利用者の広告検索操作のための表示部を必要に応じて操作手段に近接して構成しておく必要がある。
【００２６】
このような電子広告表示手段は、前記したように、個々の利用者のもとに設置されるものであるが、個々の利用者としては、各個人の家庭、美容院、理容院、ホテル及び各種の事務所、或いはバスやタクシー等の車両等が想定される。なおこの電子広告表示手段は前記電子広告配信管理センターを運営する運営主体が上記各家庭や事務所或いはタクシー等の車両に配布する形態で設置されることが期待されている。勿論、利用者が自分の費用で設置するものであっても良いのは云うまでもない。そしてこのような電子広告表示手段に於いては、広告表示部で表示すべき内容は、個々の家庭等では、概ね利用者自身が自らのために検索して選択表示させるものであるが、前記のように、車両等で広告表示部を外部に向けて表示する場合や、ホテル等で宿泊者等のために表示する場合は、利用者は、管理者となってこれを見る第三者のために適切な広告内容の検索等を行って適当な広告内容の表示を行わせるように操作管理することとなる。
【００２７】
また該電子広告表示手段は、その広告表示部に、少なくとも、広告の実体内容表示を行う広告情報表示欄と利用者が多数の広告情報から所望のそれを検索するための検索欄とを表示し得るように構成する。このような広告情報表示欄と検索欄とは、電子広告配信管理センターから送ってくる広告情報にタグ言語又は種々のスクリプト言語その他の言語を用いてそのような加工を施しておき、これを受け取った電子広告表示手段でこれを解釈して、そのように表示するように構成し、或いは、電子広告配信管理センターから送ってくる広告情報は、広告の実体内容表示とこれに対応する検索指標とに分けたものとし、他方、これを受け取る電子広告表示手段で、これに備えたソフトウエアにより、前者を広告情報表示欄に表示し、後者を検索欄に表示するように構成することもできる。
【００２８】
なお前記広告の実体内容表示は、販売対象の商品や提供対象のサービスに関する情報及び販売者や提供者（広告主体）に関する情報である。商品やサービスに関する情報は、商品やサービスの種別、外観、品質乃至グレード、対価、販売又は提供の時期等に関するものであり、販売者や提供者（広告主体）に関する情報は、その名称、ロゴマーク、屋号、所在地（地図を含む）、電話番号、FAX番号、メールアドレス、ＵＲＬ等である。これらの情報は、文字情報の外にイメージ情報も含み、更には動画も利用可能である。
【００２９】
また前記検索指標は、利用者が自ら見たい又は関係の第三者に見せたい広告の実体内容を検索するためのキーワードであり、例えば、広告主体の名称の頭文字、コード番号又は屋号、広告主体の業種、取り扱い商品又はサービスの種別、スーパーストア又はコンビニエンスストアを含む営業形態、若しくは特別割引売り出し、タイムサービス又は期間限定の催し物を含む特殊営業形態等の全部又は一部を採用することができる。
【００３０】
このような検索指標は、階層構造にせずに、全ての指標を同列に並べておいて検索することも可能であるが、階層構造（ツリー構造）にすると能率良く目的の広告情報にアクセスすることが可能になる。例えば、前記検索指標を大概念と小概念、或いはその間の中概念に区別し、検索欄を上位の大概念から下位の小概念までの複数の階層構造に構成することができる。
【００３１】
このような階層構造は、例えば、大概念を示すジャンル表示（衣類、食品、電気器具、陶磁器、文房具）から中概念を示す店舗形態、小概念の所在ブロック等に進み、小概念の所在ブロックが選択されると、それに属する一以上の店舗の具体的名称が示されるように構成することができる。このように大概念から順次検索し小概念に至る検索手段を採用すると、目的とする商品・サービスに到達するツリー状検索となるため、広範囲の商品やサービスを容易にカバーし、能率的に選択することが可能となる。
【００３２】
このような階層構造は、例えば、大概念である商品又はサービスに関する通常の広告情報、中概念であるより進んだこだわり情報、小概念である更に進んだ特殊情報等と言ったように構成することも可能である。或いは、大概念である購買やサービス利用に関する一般情報、中概念である産地情報・生産者情報、更に小概念である耳寄り情報のような構造とすることも可能である。
【００３３】
また前記電子広告表示手段は、その検索欄に於ける検索結果及び広告情報表示欄に於ける表示結果の一方又は双方を該電子広告表示手段から前記電子広告配信管理センターに送り返すように構成することもできる。
【００３４】
前記検索欄に於ける検索結果は、利用者がアクセスしようとして検索して得た広告情報の目次等を含むインデックスである。即ち、利用者がアクセスしようとした具体的な広告情報に関する情報であり、一回以上検索された具体的な広告情報とその検索された回数である。また前記広告情報表示欄に於ける表示結果は、利用者が実際に該広告情報表示欄に表示した広告情報に関する情報であり、一回以上表示された具体的な広告情報とその表示された回数である。
【００３５】
また前記電子広告配信管理センターは、前記のように、広告主体から依頼を受けた広告情報を該電子広告表示手段に伝送して表示させるものであり、広告主体から直接に又は広告代理業者を介して間接的に受けた依頼広告情報を、前記広告表示手段で表示し得る電子広告情報に加工してこれを伝送し、かつ構成によっては、電子広告表示手段から伝送される検索結果情報等のフィードバック情報を受け取ってその処理を行うものでもある。
【００３６】
この電子広告配信システムで扱う広告情報は、広告主体によって年間を通じて、又は季節、月、週、若しくはその他の定期の又は不定期の特売日等を指定して、これらの期間又は期日に配信するべく依頼を受けた商品又はサービス等に関する広告情報である。これらの広告情報には、前以て日時特定が困難な優勝感謝セール、期日限定の特殊行事に関係したセール、気象条件その他による予定変更された商品の販売又はサービスの提供に関する情報等を含む。なお前記電子広告配信管理センターでは、これらの広告情報を、広告主体情報に関するデータベース及び広告実体内容情報関係のデータベース等を作成し、これらによって管理するのが適当である。
【００３７】
前記依頼広告情報の加工は、大きく分けて二つあり、その一つは、複数の広告主体から依頼を受けた複数の広告情報から各広告情報毎に前記電子広告表示手段の広告情報表示欄に表示すべき広告の実体内容情報を作成することであり、もう一つは、該電子広告表示手段の検索欄に表示すべき検索指標を抽出することである。なお以上の広告の実体内容情報及び検索指標は先に説明した通りのものである。
【００３８】
また以上の広告の実体内容情報及び検索指標は、先に説明したように、前記電子広告表示手段の構成との関係で、タグ言語又は種々のスクリプト言語その他の言語を用いて、電子広告表示手段の広告表示部に広告情報表示欄及び検索欄を形成しつつ表示するように加工し、或いは広告情報表示欄及び検索欄の形成は電子広告表示手段に任せ、電子広告配信管理センターは、広告主体からの情報に基づいて広告の実体内容表示とこれに対応する検索指標とに分けて作成するだけとする。
【００３９】
前記電子広告配信管理センターは、前記したように、前記電子広告表示手段からその検索欄に於ける検索結果及び広告情報表示欄に於ける表示結果の一方又は双方を送り返すように構成した場合には、当然、受け取ったそれらの検索結果及び表示結果の一方又は双方を利用してデータ処理を行い、顧客ニーズ及び利用者毎の利用率の一方又は双方を調査し得るように構成することができる。
【００４０】
或いは、受け取った検索欄に於ける検索結果及び広告情報表示欄に於ける表示結果の一方又は双方を利用してデータ処理を行い、利用者毎の利用率を算出し、かつ得られた該利用者毎の利用率に基づいて、該各利用者毎に、紙媒体広告に代えて本電子広告配信システムを採用したことによる広告費用の差額を原資として利益を還元するための利益還元係数を計算し得るように構成することができる。
【００４１】
より具体的には、送り返された情報に基づくデータベースを作成し、これを種々に処理することにより、商品又はサービスに関する現在のニーズ、同種商品又はサービスを扱う広告主体毎のアクセス数の比較、同種商品又はサービスを扱う広告主体間の地域差、利用者の年齢層とアクセス対象との関係等の種々の観点から見た結果を得ることができる。利用者毎のアクセス数を集計することも可能である。
【００４２】
利用者毎の利用率に基づいて算出した利益還元係数は、これに応じて利用者に対するキャッシュバックや景品の提供等を行う際に、その額や量を決定するための係数であり、利用率に比例する数値である。
【００４３】
前記電子広告配信管理センターと電子広告表示手段との間で電子広告情報その他の情報のやりとりを行うための伝送手段は、有線電話回線又はPHS及びAir Hを含む無線電話回線を採用することができる。伝送手段としては、立地条件又は規模等に応じて有線又は無線いずれのそれでも利用可能である。
【００４４】
従って本発明の電子広告配信システムによれば、電子広告表示手段を設置している利用者は、必要に応じて適時に又は随時に電子広告表示手段によって広告主体の依頼に基づく広告情報を閲覧し、広告主体の提供する商品乃至はサービスを能率良く選択し、現実にそれらを購買することができる。或いは、必要に応じて適時に又は随時に電子広告表示手段によって広告主体の依頼に基づく広告情報を第三者に閲覧させ、当該の第三者に広告主体の提供する商品乃至はサービスを能率良く選択し、現実にそれらを購買するチャンスを提供することができる。
【００４５】
このような電子広告配信システムによれば、広告情報を利用者の希望に従って検索し、閲覧したい又はさせたい広告情報のみを何時でも自由に閲覧し、閲覧させることが可能であり、例えば、新聞折り込み広告のような多量の紙媒体から所望の広告情報を探し出すような手間が掛からないし、個々の利用者から見れば、その利用者が必要とする一部の広告以外の広告情報を印刷した多くの無駄な広告印刷物を作り出す資源の無駄遣いとなるような問題がない。それ故、またそのような無用な多量の印刷物を処理せざるを得ないと云うような問題が生じない。
【００４６】
また前記電子広告配信管理センターから伝送される広告情報は、前記したように、広告主体の申し込み及びその応諾のルール等により、電子広告表示手段で表示可能にすべき期間が決まり、このような期間は、新聞折り込み広告のように、１回／１日のようには限定されない。即ち、時間単位であれ、日単位であれ、自由に設定して、必要な時間に必要な広告情報を電子広告表示手段に伝送し、契約期間が経過すれば、これを消去することができるものである。
【００４７】
そのため広告主体は、電子広告表示手段に於ける自らの広告情報を、それにとって有用又は必要な時点に表示可能にさせ、有用でない又は不要になった時点で表示不能にさせることができるものであり、有用な時間にのみ費用を集中させることが可能である。更に利用者は、現時点で有効な情報にのみアクセス可能であり、またいち早く新たな広告情報にアクセスすることも可能となる。
【００４８】
利用者は、例えば、何らかの買い物又はサービスを受けたい又は受けさせたいと考える場合には、自らの管理する家庭、事務所又は車両等に設置してある電子広告表示手段を利用して買い物対象の商品又は受給希望対象のサービスの広告情報をチェックし、又はチェックさせ、適切な商品やサービスの自らの又は第三者の選択に役立てることができる。
【００４９】
この場合はまずその広告表示部の検索欄でその商品又はサービスに関する広告情報のみを検索して取り出し、それらの広告情報を広告情報表示欄に表示させる。この検索は、例えば、商品又はサービスの種別で検索し、更にその商品又はサービスの提供者（広告主体）の存在するエリア（利用者の住まいに近いエリア等）で絞って得られたいくつかの提供者（広告主体）の広告情報に限定することができる。検索の仕方は、前記したように、種々の態様に構成しておくことが可能であり、検索は具体的な構成に従って行い、いずれにしても目的の商品又はサービスの提供者（広告主体）を容易に見出すことができる。
【００５０】
こうして探し出した目的の商品等の広告情報が一つだけであれば、それのみを表示し、複数あればそれを順次表示することができる。検索欄には検索によってヒットした商品又はサービスに関する提供者（広告主体）の広告情報のリストが表示され、これらの中にから所望のそれを選んで、又は順次クリックすることにより、対応する広告情報を広告情報表示欄に表示させることができる。
【００５１】
広告情報表示欄には、商品又はサービスに関する情報及びその提供者（広告主体）に関する情報が表示される。表示の仕方は、この広告情報の加工の仕方による。例えば、全ての情報を一画面で表示し、広告情報表示欄に入りきらない情報は順次スクロールしながら閲覧可能にする。または初期画面にはインデックスのみを表示し、利用者が所望のそれをクリックすることで、個々の情報を閲覧できるようにする等である。情報の内容は先に述べたとおりである。
【００５２】
こうして利用者は所望の商品又はサービスに関する情報をその提供者（広告主体）に関する情報と共に簡単かつスピーディに得又は得させることができる。
【００５３】
なお利用者は、以上のような商品又はサービスの検索に関して、前記したように、様々な販売店の形態、期間限定の商品又はサービスの提供等、種々の検索指標を利用した様々な態様の検索を行い、検索目的を達成することができる。
【００５４】
またこのような利用者による検索結果及びその検索結果に基づく広告情報の表示結果は、前記したように、これらの一方又は双方を電子広告表示手段から電子広告配信管理センターに送り返すように構成することが可能であり、そのように構成した場合には、電子広告配信管理センターでは、これらの検索結果情報及び表示結果情報の一方又は双方を利用して様々な利益ある動作を行うことが可能となる。
【００５５】
例えば、電子広告配信管理センターは、必要なソフトウエアを組み込んでおき、受け取ったそれらの検索結果及び表示結果の一方又は双方を利用してデータ処理を行い、顧客ニーズ、利用者毎の利用率、商品やサービス毎のアクセス数の比較、利用者の年齢層とアクセス対象との関係等を調査することも可能となる。更には、利用者毎の利用率に基づいて利益還元係数を算出し、各利用者に対して、紙媒体広告に代えて本電子広告配信システムを採用したことによる広告費用の差額を原資として利益を還元することも可能になる。利益の還元は、より具体的には、各利用者に対して、その利益還元係数に応じて額や量を決定した上で、キャッシュバックや景品の提供等を行うことである。このようなキャッシュバック等は利用者のこのシステムの利用に対するインセンティブとなり、システムの広告効果を一層向上させることが可能となる。
【実施例１】
【００５６】
この実施例の電子広告配信システムは、図１に示すように、電子広告配信管理センター１と、複数の電子広告表示手段２、２…とで構成するものである。
以上の内、電子広告配信管理センター１は、同様に図１に示すように、管理用コンピュータ１１と受配信用通信手段（伝送手段）１２とで構成し、該管理用コンピュータ１１は、演算部１１ａと、記憶部１１ｂと、入出力部１１ｃとで構成したものである。
【００５７】
前記演算部１１ａは、後記記憶部１１ｂのプログラム領域１１ｂ１に保存されているメインプログラム及びその他のプログラムを読み込んで、これを実行し、広告主体から依頼を受けた依頼主情報を含む広告情報を自動的に又は操作者の処理操作を助けつつ処理して、前記電子広告表示手段２、２…の後記広告表示部２ａ１で表示する表示用広告データ（商品又はサービス等に関する表示用データ）、表示用提供者データ（提供する商品又はサービス等に対応する提供者４、即ち、広告主体に関する表示用データ）及び検索指標データを作成し、かつそれぞれを記憶部１１ｂの表示用データ領域１１ｂ３に保存し、また当該の受注内容に基づいてデータベース領域１１ｂ２の顧客データベース（広告主体についてのデータベース）及び受注データベースへのデータの登録又は更新その他の処理を行い、かつ受注データベースの受注データに基づいて受配信用通信手段１２を介して、現時点以降に表示可能にしておくべき表示用広告データ、表示用提供者データ及び検索指標データを前記記憶部１１ｂから読み出して前記電子広告表示手段２、２…に配信する動作を行うように構成したものである。
【００５８】
また前記演算部１１ａは前記電子広告表示手段２，２…から送信されてくる広告情報の表示結果（現在、広告表示部２ａ１の後記広告情報表示欄３ａにいずれの広告情報を表示しているかの情報）を受け取って、それらをデータベース領域１１ｂ２の表示結果データベースに登録し、かつこの表示結果データベースを操作して消費者個々の商品又はサービスに対する好みの傾向、地域による好みの傾向、全体としてのニーズの割り出し動作を行い、更にその結果を、該データベース領域１１ｂ２中の結果保存部に保存しておくべく動作するように構成したものである。上記結果保存部に保存した情報は、何時でも管理者が参照できるようになっているのは云うまでもない。
【００５９】
前記記憶部１１ｂは、以上に説明したように、プログラム領域１１ｂ１、データベース領域１１ｂ２、表示用データ領域１１ｂ３を有しており、それぞれ先に説明したデータ類を保存するようになっている。
【００６０】
前記入出力部１１ｃは、管理者がこの管理用コンピュータ１１を操作するために入力するコマンド類や小さなデータ類を入力するためのキーボード、受配信用通信手段１２を介してデータのやりとりをする通信用インターフェース、フレキシブルディスクのデータを読み書きするドライブ装置及び光磁気ディスクのデータを読み書きするドライブ装置等からなる。
【００６１】
前記受配信用通信手段１２は、前記管理用コンピュータ１１と前記電子広告表示手段２、２…との間で先に述べたデータをやりとりするための通信手段であり、この実施例では、電話回線を介してそれらのやりとりをするための手段を採用した。
【００６２】
また前記電子広告表示手段２、２…は、図２に示すように、この実施例では、各々その主たる構成要素としてノートパソコン２ａとこれに付属する通信手段（伝送手段）２ｂとしてのＰＨＳを採用したものである。
【００６３】
前記ノートパソコン２ａは、図２に示すように、市販のそれであり、Ａ４に相当するサイズの液晶ディスプレーが広告表示部２ａ１の役割を担当し、パソコン本体２ａ２が、それに組み込んだプログラムにより、通信手段２ｂを制御し、これ通じて伝送された前記表示用広告データ、表示用提供者データ及び検索指標データを保存し、かつ該広告表示部２ａ１の表示を右側の幅広の広告情報表示欄３ａとその左側の幅狭の検索欄３ｂとの形態で表示し、更に後者の検索欄３ｂには利用者の検索用の検索指標を表示すべく制御するようになっている。その外、パソコン本体２ａ２は、利用者の操作に従った検索動作を行い、検索結果を表示し、かつその検索結果に基づく利用者の選択に従って前記広告情報表示欄３ａに表示用広告データ及び表示用提供者データ等を表示すべく制御するようになっている。また該広告情報表示欄３ａに於ける表示結果を通信手段２ｂを介して前記電子広告配信管理センター１の管理用コンピュータ１１に伝送する動作も行うようになっている。
【００６４】
該パソコン本体２ａ２は、その上面に備えたキーボードＫＢ及び接続しているマウスＭが利用者がこれを操作するための入力手段として機能するが、更に、前記広告表示部２ａ１をなす液晶ディスプレーの前面に配したタッチパネルも入力手段として機能するように構成してある。従って広告情報の検索操作は、上記キーボードＫＢ又はマウスＭを使用するか或いはタッチパネルを利用して広告表示部２ａ１の該当する部位をタッチすることで、それを行うことが可能であり、更に選択した広告情報の表示操作もそれらによって行うことができるようになっている。
【００６５】
従ってこの実施例の電子広告配信システムによれば、電子広告表示手段２、２…には、前記電子広告配信管理センター１から前記のように処理された広告情報が、該電子広告表示手段２、２…で表示可能にすべき期間の開始時点より前に、受配信用通信手段（伝送手段）１２、通信回線及び通信手段２ｂを介して伝送され、それらの電子広告表示手段２、２…のパソコン本体２ａ２に保存され、表示可能な状態となっている。また表示期間の経過した情報は電子広告表示手段２、２…側でこれが削除される。
【００６６】
それ故、これらの電子広告表示手段２、２…をそれぞれ自己の家庭に設置している利用者は、必要に応じて、随時に該電子広告表示手段２によって提供者（広告主体）４の依頼に基づく広告情報を閲覧し、その提供する、その時点で有効な商品乃至はサービスを能率良く選択して現実にそれらを購買することができる。
【００６７】
利用者は、例えば、何らかの買い物又はサービスを受けたいと考える場合には、以上のように、自らの家庭内に設置してある電子広告表示手段２を利用して買い物対象の商品又は受給対象のサービスの広告情報をチェックし、提供者４の所在地の遠近の面、その商品やサービスの対価又は価額の面又はその品質の面等で適切なその選択に役立てることができる。
【００６８】
この場合はまずその広告表示部２ａ１の検索欄３ｂでその商品又はサービスに関する広告情報の検索を行うことができる。この検索は、パソコン本体２ａ２のマウスＭにより、検索欄３ｂのボタンの内の該当するそれをクリックし、キーボードＫＢで同操作をし、又は該広告表示部２ａ１の前面に配してある該ボタン上のタッチパネルにタッチ操作することによって行うことができる。
【００６９】
この検索は、内容的には、例えば、商品又はサービスの種別で検索し、更にその商品又はサービスの提供者４の所在地で絞ると言うように検索操作を繰り返して一以上の適宜数の提供者４の広告情報に限定することができる。検索操作毎にヒットした商品等の広告情報のリストが表示されるようになっているので、その数を確認しながら適当な数になるまでキーワード（検索指標）を変えて検索操作を繰り返せばよい。勿論、多数の広告情報がヒットした段階で検索操作を止め、リストを一覧してその中からいずれかの広告情報を選択して表示させることとしても良いのは云うまでもない。こうしていずれにしても目的の商品又はサービスの提供者４を容易に見出すことができる。
【００７０】
広告情報の表示は、リストの各広告情報に付されたボタンをマウスＭによってクリックするか、タッチパネルそのボタン上の部位をタッチする等によって行うことができる。この表示は、云うまでもなく、広告表示部２ａ１の広告情報表示欄３ａで行われる。また表示内容は、前記リストのクリック操作等によって選択された広告情報表示に対応する前記表示用広告データ及び表示用提供者データであり、前記したように、予め通信手段２ｂを介して受け取り、パソコン本体２ａ２に保存してあるそれである。
【００７１】
広告情報表示欄３ａには、まず商品又はサービスに関する情報である表示用広告データの表示が行われ、次いで、その表示の一部に示される特定のボタンをマウスＭでクリック又はタッチパネルの該当部位をタッチすることでその提供者４に関する情報である表示用提供者データが表示される。両者の表示量が小さい場合は一度に表示される。表示用広告データ及び表示用提供者データの各々はその全ての情報を一画面で表示し、広告情報表示欄３ａに入りきらない部分は順次スクロールしながら閲覧可能になっている。
【００７２】
情報の内容は、表示用広告データについては、一般の折り込み広告に表示されているような商品又はサービスに関する情報であり、その種類や品質、更には価額又は対価等である。商品の写真等も含まれる。期間限定の商品はその提供の期間が示され、期間中のみ特定の価額で販売される場合はその価額が示される。或いは割引率等が示される。商品又はサービスの提供の仕方が特別のものである場合はそれが示される。先に述べたように、一般の折り込み広告に表示されうる全ての情報が含まれる。
【００７３】
前記表示用提供者データは、その商品の販売者又はサービスの提供者４に関するデータであり、その名称、屋号、所在地、電話番号、FAX番号、メールアドレス又はＵＲＬ、更には、提供者４の所在地の地図等である。
【００７４】
なお広告情報の表示は、ヒットした商品等の広告情報が一つだけであれば、当然、それのみを表示し、複数あればそれを順次表示することができる。勿論、多数の内の一部のみを表示するのも自由である。その表示操作は先に述べた通りである。
【００７５】
こうして利用者は所望の商品又はサービスに関する情報をその提供者４に関する情報と共に簡単かつスピーディに得ることができる。
【００７６】
またこの実施例では、このような利用者による広告情報の表示結果が、電子広告表示手段２から電子広告配信管理センター１に送り返される。表示結果の意味は先に説明したとおりである。電子広告配信管理センター１では、受配信通信手段１２、通信回線及び通信手段２ｂを介してこれらの表示結果を受け取り、その管理用コンピュータ１１の記憶部１１ｂに於けるデータベース領域１１ｂ２の表示結果データベースに登録し、前記のように、この表示結果データベースを操作して消費者個々の商品又はサービスに対する好みの傾向、地域による好みの傾向、全体としてのニーズの割り出し動作を行い、更にその結果を、該データベース領域１１ｂ２中の結果保存部に保存しておくべく動作する。当然、上記結果保存部に保存した情報は、何時でも管理者が参照できるようになっている。
【００７７】
なお前記電子広告配信管理センター１では、常時、図１に示すように、商品又はサービスの提供者４、４…から直接に又は広告代理業者５、５…を介して間接に広告の依頼を受け、その提供者４、４…に関する情報を含む広告情報を受け取り、その管理用コンピュータ１１を利用して、その広告情報を自動的に処理し又はその補助を受けつつ操作者の処理操作により処理して、前記電子広告表示手段２、２…の広告表示部２ａ１で表示する表示用広告データ（商品又はサービス等に関する表示用データ）、表示用提供者データ（提供する商品又はサービス等に対応する広告主体に関する表示用データ）及び検索指標データを作成し、かつそれぞれを記憶部１１ｂの表示用データ領域１１ｂ３に保存する動作を行っている。
【００７８】
また当該の受注内容に基づいてデータベース領域１１ｂ２の顧客データベース（提供者：広告主体についてのデータベース）及び受注データベースへのデータの登録又は更新その他の処理を行い、かつ受注データベースの受注データに基づいて受配信用通信手段１２を介して、現時点以降に表示可能にしておくべき表示用広告データ、表示用提供者データ及び検索指標データを前記記憶部１１ｂから読み出して前記電子広告表示手段２、２…に配信する動作を行っている。
【００７９】
従ってこのような電子広告配信システムによれば、広告情報を利用者の希望に従って検索し、現時点で有効な閲覧したい広告情報のみを何時でも自由に能率良く閲覧することが可能である。
提供者４、４…は、電子広告表示手段２、２…に於ける自らの広告情報を、それにとって有用又は必要な時点に表示可能にさせ、有用でない又は不要になった時点で表示不能にさせることができるものであり、有用な時間にのみ費用を集中させることが可能である。
【００８０】
また利用者の広告情報の表示結果をフィードバックしてその後の営業活動の有用な資料とすることができる。
【図面の簡単な説明】
【００８１】
【図１】一実施例の電子広告配信システムの構成を示すブロック図。
【図２】電子広告表示手段を示す概略説明図。
【符号の説明】
【００８２】
１    電子広告配信管理センター
２    電子広告表示手段
２ａ  ノートパソコン
２ａ１  広告表示部
２ａ２  パソコン本体
２ｂ  通信手段（伝送手段）
３ａ  広告情報表示欄
３ｂ  検索欄
４    提供者（広告主体）
５    広告代理業者
１１  管理用コンピュータ
１１ａ  演算部
１１ｂ  記憶部
１１ｂ１  プログラム領域
１１ｂ２  データベース領域
１１ｂ３  表示用データ領域
１１ｃ  入出力部
１２  受配信用通信手段（伝送手段）
ＫＢ  キーボード
Ｍ    マウス
【図１】
2006011676.tif 000003
【図２】
2006011676.tif 000004